(57)【特許請求の範囲】
【請求項１】
台車にエアーコンプレッサ及び水、消毒、消臭液等が収納された薬液タンクが搭載され、さらに支持柱が起立させられ、該支持柱上端に設けた機構部ボックス内のベース上には下端に水平方向に適当角度で往復回動させられるフランジを有する下方回動支柱が設けられ、該下方回動支柱の上端に設けられた第１スライド板に上方回動支柱の下端に設けた第２スライド板が自重により重合支持され、前記上方回動支柱の上端に噴霧ノズルが上下噴射角調整自在に設けられ、前記エアーコンプレッサ及び薬剤タンクからの配管が前記噴霧ノズルに連結されてなることを特徴とする噴霧装置。
【請求項２】
下方回動支柱がその下端に設けられたフランジと、支持柱上端に支持したモータ及びクランクとを介して往復回動させられることを特徴とする請求項１に記載の噴霧装置。
【請求項３】
下方回動支柱を円筒状に構成し、上方回動支柱の下方を延長して前記下方回動支柱の円筒状部に適合させてなることを特徴とする請求項１又は２に記載の噴霧装置。
【請求項４】
噴霧ノズルの上下噴射角調整を前記噴霧ノズルの後部に設けた回動円板と上方回動支柱上端に垂直に設けた固定円板の重合及びその中心軸部に回動及び固定自在に支持された前記回動円板に設けられた上下角度調整ハンドルにより行うことを特徴とする請求項１または２に記載の噴霧装置。
【発明の詳細な説明】
【０００１】
【発明の属する技術分野】
本発明は、加湿器あるいは消毒、消臭液散布機として使用される噴霧装置に関する。
【０００２】
【従来の技術】
従来、各種工場内、例えば、印刷、繊維、製紙、プラスチック及びフイルム工場等においては、過熱する機械周辺のスポット加湿あるいは帯同する静電気を防止するための加湿器として、あるいは無人の室内等、例えば、食品加工工場の製造室内等においては、その作業の性質上、すなわち必要な衛生面上の殺菌装置としての消毒、消臭液散布機として、さらには園芸ハウスや貯蔵庫においては、内部に収納された野菜、果物、その他の生鮮物への加湿や消臭のための加湿器、あるいは消毒、消臭液散布機として噴霧装置が使用されている。
【０００３】
前記噴霧装置は、一般にエアーコンプレッサと水、、あるいは消毒、消臭液等（以下、単に「薬液」と言う。）の収容タンク（以下、単に「薬液タンク」と言う。）がスタンド台、台車等に搭載され、薬液タンク内の薬液が前記エアーコンプレッサからの圧縮空気と混合されて、該混合気が噴霧ノズルから噴霧される二流体噴霧装置として構成とされている。
【０００４】
【発明が解決しようとする課題】
前記従来一般の噴霧装置では、エアーコンプレッサと薬液タンクがスタンド台、台車等に搭載されるとともに、前記エアーコンプレッサからの圧縮空気と前記薬液タンク内の薬液等が混合された混合気を噴霧する噴霧ノズルが、一定方向及び一定角度に固定されていた。
【０００５】
したがって、例えば、前記噴霧装置を消毒、消臭液散布機として使用した場合には、噴霧ノズルから噴霧される薬液等が一定方向にのみ噴霧されるだけで工場内や室内等に十分に拡散されることがなく、薬液等の散布ムラが生じて、必要とする散布効果が得られない等の問題があった。
【０００６】
そこで、各種工場内や室内等の広い範囲内への薬液等の均等散布を図るために、薬液等を一定の時間噴霧させた後に、前記噴霧装置を人手で移動させて薬液等の噴霧方向を変更していた。したがって、人手を要するとともに、消毒、消臭液等の散布直後の人の出入りは衛生面からも問題が残るものであった。
【０００７】
本発明は、前記事情に鑑みてなされたもので、各種工場内や無人の室内等において、均等且つ理想的な薬液等の散布を行うことができる噴霧装置を提供することを目的とする。
【０００８】
【課題を解決するための手段】
前記課題を解決するため本願発明は、台車にエアーコンプレッサ及び水、消毒、消臭液等が収納された薬液タンクが搭載され、さらに支持柱が起立させられ、該支持柱上端に設けた機構部ボックス内のベース上には下端に水平方向に適当角度で往復回動させられるフランジを有する下方回動支柱が設けられ、該下方回動支柱の上端に設けられた第１スライド板に上方回動支柱の下端に設けた第２スライド板が自重により重合支持され、前記上方回動支柱の上端に噴霧ノズルが上下噴射角自在に設けられ、前記エアーコンプレッサ及び薬剤タンクからの配管が前記噴霧ノズルに連結されてなる構成としたものであり、好ましくは前記下方回動支柱がその下端に設けられたフランジと、支持柱上端に支持したモータ及びクランクとを介して往復回動させられ、さらに前記下方回動支柱を円筒状に構成し、上方回動支柱の下端を延長して前記下方回動支柱の円筒状部に適合させてなり、さらには前記噴霧ノズルの上下噴射角調整を前記噴射ノズルの後部に設けた回動円板と上方回動支柱上端に垂直に設けた固定円板との重合及びその中心軸部に回動及び固定自在に支持された前記回動円板に設けられた上下角度調整ハンドルにより行うものである。
【０００９】
【発明の実施の形態】
以下に、本発明の実施の一形態を図面に基づいて説明する。図１は本発明に係る噴霧装置の全体斜視図、図２は回動支柱及び噴霧ノズル部の一部切欠側面図、図３は回動支柱及び噴霧ノズル部の一部切欠分解斜視図、図４は傾斜角度調整部の分解斜視図である。
【００１０】
本発明に係る噴霧装置は、台車１にエアーコンプレッサ２及び薬液タンク３が搭載され、さらに支持柱４が起立させられる。さらに、該支持柱４の上端には水平方向に適当角度で往復回動させられる回動支柱５が設けられる。
【００１１】
本発明では、前記回動支柱５が下方回動支柱５ａと上方回動支柱５ｂに二分され、その間がルーズに連結されて安全を図っている。その詳細が図２及び図３に示されている。
【００１２】
まず、前記支持柱４の上端に機構部ボックス７が設けられ、該機構部ボックス７内にベース６が設けられる。さらに、該ベース６上には下端にフランジ８を有する下方回動支柱５ａがボールキャスター９を介して設けられ、前記下方回動支柱５ａが水平方向に適当角度で往復回動させられるように構成される。
【００１３】
すなわち、前記ベース６にモータ１０が設けられ、該モータ１０で回転させられる回転ドライブ板１１と前記フランジ８間にクランク１２が設けられ、前記モータ１０により前記回転ドライブ板１１、クランク１２及びフランジ８を介して前記下方回動支柱５ａが水平方向に適当角度で往復回動させられる構成になっている。
【００１４】
さらに、前記下方回動支柱５ａの上端に第１スライド板１３が固着され、該第１スライド板１３の上面に重合する第２スライド板１４を介して上方回動支柱５ｂが設けられている。
【００１５】
すなわち、前記上方回動支柱５ｂが、前記機構部ボックス７を構成する上板部７ａに設けた軸受１５によって支持されて下端に前記第２スライド板１４が固着され、該第２スライド板１４、前記上方回動支柱５ｂ及び後述する噴霧ノズル１６部が前記下方回動支柱５ａの上端に固着された前記第１スライド板１３上に自重により重合支持されている。
【００１６】
すなわち、前記モータ１０による前記第１スライド板１３の回転が、前記第２スライド板１４に摩擦力により伝達されるルーズな構成になっている。
【００１７】
さらに、前記下方回動支柱５ａが円筒状に構成され、前記上方回動支柱５ｂが前記第２スライド板１４の下方に延長されて該円筒状部に適合させられ、前記第１スライド板１３及び前記第２スライド板１４間に位置ずれが生じないように構成されている。
【００１８】
前記構成においては、噴霧作業中に後述する噴霧ノズル１６に手あるいは体が触れた場合にも、第１スライド板１３と第２スライド板１４間がルーズに連結されているため、手あるいは体に衝撃が加わることがなく安全であり、さらには装置が故障等することがない。
【００１９】
さらに、前記上方回動支柱５ｂの上端に噴霧ノズル１６が上下傾斜角度調整自在に設けられる。
【００２０】
本発明では、前記上方回動支柱５ｂの上端に垂直に固定円板１７を設け、該固定円板１７の中心軸１８に噴霧ノズル１６部が上下傾斜角度自在に支持される。具体的には、前記噴霧ノズル１６の後部に回動円板１９を設け、該回動円板１９を前記固定円板１７と重合及びその中心軸１８部に回動及び固定自在に支持して、前記回動円板１９に設けた上下角度調整ハンドル２０により噴霧ノズル１６の上下傾斜角度調整自在に構成している。
【００２１】
すなわち、図４に示すごとく、前記噴霧ノズル１６の後部の回動円板１９をゴム板等からなるすべり止め２６を介して前記前記固定円板１７に重合し、それらの中心部をボルト２７及びナット２８により締付け固定自在に構成してなる。
【００２２】
図中、２９は緩み止め用スプリングである。
【００２３】
さらに、前記噴霧ノズル１６部に、前記エアーコンプレッサ２から圧縮空気を供給するための空気配管２１及び前記薬液タンク３から薬液等を供給する配管２２が連結される。
【００２４】
なお、前記噴霧ノズル１６はベンチュリータイプに構成され、圧縮空気を前記空気配管２１に送れば、自動的に薬液等が吸引されて噴霧される構成になっている。したがって、噴霧量は空気圧を調整することにより自由に加減することができる。
【００２５】
図中、２３は操作盤部であり、運転スイッチ、圧縮空気の圧力制御部、圧力計、運転状態を示すランプ類及び運転時間を制御するタイマー等が設けられている。また、図中、２４はキャスター、２５は走行操作ハンドルである。
【００２６】
前記構成の本発明の噴霧装置は、モータ１０を駆動すると、回転ドライブ板１１、クランク１２及びフランジ８を介して下方回動支柱５ａが水平方向に適当角度で往復回動させられる。
【００２７】
同時に、該下方回動支柱５ａの上端に設けられた第１スライド板１３、該第１スライド板１３に重合された第２スライド板１４を介して該第２スライド板１４に固着された上方回動支柱５ｂが回動させられ、該上方回動支柱５ｂの上端に設けられた固定円板１７部に支持された噴霧ノズル１６が水平方向に適当角度で往復回動させられて広範囲に薬液等を均等散布することができる。
【００２８】
さらに、上下方向の噴霧方向を変える場合には、前記ボルト２７を緩めた後、前記上下傾斜角度調整ハンドル２０を上下させて噴霧ノズル１６側を上下させ、該噴霧ノズル１６を必要な上下角度に調整した後、前記ボルト２７を締付ければよい。
【００２９】
したがって、その後は必要とする上下傾斜角度を保ち、さらに水平方向に適当角度で前記噴霧ノズル１６を往復回動させて薬液等を均等散布することができる。
【００３０】
【発明の効果】
本発明によれば、噴霧ノズルが水平方向に適当角度で往復回動させられるとともに上下傾斜角度調整も自在であり、均等散布を図れるため理想的な薬液等の散布が可能である。
【図面の簡単な説明】
【図１】本発明に係る噴霧装置の全体斜視図である。
【図２】回動支柱及び噴霧ノズル部の一部切欠側面図である。
【図３】回動支柱及び噴霧ノズル部の一部切欠分解斜視図である。
【図４】傾斜角度調整部の分解斜視図である。
【符号の説明】
１    台車
２    エアーコンプレッサ
３    薬液タンク
４    支持柱
５    回動支柱
５ａ  下方回動支柱
５ｂ  上方回動支柱
１６  噴霧ノズル
１７  固定円板
１９  回動円板
２０  上下傾斜角度調整ハンドル
【図１】
0003699770.tif 000002
【図２】
0003699770.tif 000003
【図３】
0003699770.tif 000004
【図４】
0003699770.tif 000005